(57)【要約】【課題】媒体に画像を形成する画像形成装置で、媒体を追加する方式が着脱可能なカセット方式の装置において、カセットを引き出さずカセットカバーを開いた状態では媒体入口を塞ぎ、媒体を追加できないようにした画像形成装置を提供する。【解決手段】画像形成装置本体４に供給する媒体Ｐを収容するカセット１と、カセット１に開閉可能に装着され、カセット１の上部を覆うカセットカバー２と、カセット１を画像形成装置本体にセットすると上昇する底板１２とを備える。カセットカバー２には給紙防止部２ａが設けられ、カセット２を引き出さずにカセットカバー２を開いた時は、カセットカバー２の給紙防止部２ａと上昇した底板１２で媒体Ｐの入口を塞ぐ。【選択図】図３
2010024035.tif 000002
【特許請求の範囲】
【請求項１】
画像形成装置本体に供給する媒体を収容するカセットと、該カセットに開閉可能に装着され、該カセットの上部を覆うカセットカバーと、前記カセットを前記画像形成装置本体にセットすると上昇する底板とを備え、
前記カセットカバーには給紙防止部が設けられ、
前記カセットを引き出さず前記カセットカバーを開いた時は、前記カセットカバーの給紙防止部と上昇した前記底板とで前記画像形成装置本体の媒体入口を塞ぐことを特徴とする画像形成装置。
【請求項２】
請求項１の画像形成装置において、前記給紙防止部を前記カセットカバーの開閉側の反対側中央部に設けたことを特徴とする画像形成装置。
【請求項３】
請求項１または２の画像形成装置において、前記カセットカバーの前記給紙防止部にコロと、該コロを前記給紙防止部の外方へ押し出し付勢するバネを設けてなることを特徴とする画像形成装置。
【請求項４】
請求項１または２の画像形成装置において、前記給紙防止部の形状が略Ｌ字形状としてなることを特徴とする画像形成装置。
【請求項５】
請求項１ないし３のいずれかの画像形成装置において、前記給紙防止部に回転可能なヒンジ部を設け、前記カセットを引き出さずに前記カセットカバーを開いた時は、前記給紙防止部が前記ヒンジ部で自重により回転し、前記媒体入口を塞ぐことを特徴とする画像形成装置。
【請求項６】
請求項５の画像形成装置において、前記給紙防止部のヒンジ部に可動範囲を規制するねじりバネを設けてなることを特徴とする画像形成装置。
【請求項７】
請求項５の画像形成装置において、前記給紙防止部のヒンジ部に可動範囲を規制する引張バネを設けてなることを特徴とする画像形成装置。
【請求項８】
請求項５の画像形成装置において、前記給紙防止部のヒンジ部に可動範囲を規制するリンクを設けてなることを特徴とする画像形成装置。
【請求項９】
請求項５の画像形成装置において、前記給紙防止部のヒンジ部に可動範囲を規制するロック部を設けてなることを特徴とする画像形成装置。
【請求項１０】
請求項１の画像形成装置において、前記画像形成装置本体と前記カセットのロック部を前記底板と一体化し、該底板が上昇すると前記画像形成装置本体と前記カセットがロックし、前記底板が下降すると前記画像形成装置本体と前記カセットのロックが外れ、また前記カセットカバーを開く時に該カセットカバーの一部が前記底板を押す構成とし、該カセットカバーを開くと前記底板が下降しながら前記カセットを押し出し、媒体を追加する時は前記カセットが前記画像形成装置本体から引き出されていることを特徴とする画像形成装置。
【請求項１１】
請求項１０の画像形成装置において、前記カセットカバーを開くと前記底板が下降し、前記画像形成装置本体と前記カセットのロックが外れ、圧縮バネによって前記カセットを押し出し、媒体を追加する時は前記カセットが前記画像形成装置本体から引き出されていることを特徴とする画像形成装置。
【請求項１２】
請求項１０の画像形成装置において、前記画像形成装置本体に前記カセットをセットする時は前記底板と接触せず、前記カセットカバーを開くと前記底板が下降して接触する位置に、前記カセットを押し出すプッシュロッドを設け、前記カセットカバーを開くと前記底板が下降し、前記画像形成装置本体と前記カセットのロックが外れ、前記プッシュロッドによって前記カセットを押し出し、媒体を追加する時は前記カセットが前記画像形成装置本体から引き出されていることを特徴とする画像形成装置。
【請求項１３】
請求項１から１２のいずれかの画像形成装置において、前記カセットと前記カセットカバーの先端をオフセットする構成とし、僅かに前記カセットカバーを開いた状態では媒体を追加できないようにしてなることを特徴とする画像形成装置。
【発明の詳細な説明】
【技術分野】
【０００１】
本発明は、媒体の搬送を行う装置、特に媒体に画像を形成する記録ヘッドとインクによって媒体に画像を形成する画像形成装置に関する。
【背景技術】
【０００２】
媒体に画像を形成する画像形成装置で、媒体を追加する方式が着脱可能なカセット方式の装置において、カセットカバーが開閉可能な場合、カセットを引き出さずカセットカバーを開いて媒体を追加すると、給紙コロと分離パッドの間に多数枚の媒体が挟まり、挟まった状態で給紙動作を行うと重送する場合があった。また、重送して画像形成装置内でジャムが発生した場合、画像形成装置を開口させて媒体を除去する必要があった。
【０００３】
特許文献１の給紙装置及び画像形成装置では、用紙の給紙動作により分離部近傍まで多数枚の用紙が搬送されてきても、用紙先端を給紙トレイ側に押し戻す戻し部材を備えることにより、給紙トレイの画像形成装置本体からの引き出し動作により用紙を分離部近傍から給紙トレイ側へ押し戻し、多数枚の用紙によって最上位の用紙先端が給紙コロに強く当接されることを防止し、強く当接されることにより生ずる給紙トレイ引き出し時の用紙の移動や回転を防止するようにしている。
【０００４】
また特許文献２の分離部材、シ−ト材の給送装置及び画像形成装置では、シート材積載部材に積載されたシート材の量にかかわらず、傾斜面に対するシート材の進入角度を安定させた分離部材、これを有するシート材の給送装置及びこれらを有する画像形成装置を提供するとしている。
【０００５】
また特許文献３のシ−ト給送装置及びこれを備えた画像形成装置では、シート収納手段に収納されたシートに当接してシートを送り出すシート給送手段と、該シート給送手段により送り出されたシートを１枚ずつ分離して給送する分離斜面とを備えたシート給送装置において、前記分離斜面を、前記シート収納手段のシート収納部のシート送り出し側端部に設け、前記分離斜面は、該分離斜面におけるシートの先端が当接するシート当接面と平行な固定の斜面基準面に移動可能に取り付けられることによって、前記シート給送手段から送り出されるシートに伴ってシートの進行方向に沿って移動するようにしている。
【０００６】
【特許文献１】特開２００７−００１６８５号公報
【特許文献２】特許第４０１５０７０号公報
【特許文献３】特許第３９９７０５７号公報
【発明の開示】
【発明が解決しようとする課題】
【０００７】
本発明は、上記の諸問題にかんがみてなしたもので、カセットを引き出さずカセットカバーを開いた状態では媒体入口を塞ぎ、媒体を追加できないようにした画像形成装置を提供することを目的とする。なお本明細書において画像形成装置とは、複写機、プリンタ、ファクシミリ装置、これらの複合装置だけでなく、紙などの記録媒体を搬送する機能を有する装置をも含むものとする。
【課題を解決するための手段】
【０００８】
本発明の請求項１に係る画像形成装置は、画像形成装置本体に供給する媒体を収容するカセットと、該カセットに開閉可能に装着され、該カセットの上部を覆うカセットカバーと、前記カセットを前記画像形成装置本体にセットすると上昇する底板とを備え、前記カセットカバーには給紙防止部が設けられ、前記カセットを引き出さず前記カセットカバーを開いた時は、前記カセットカバーの給紙防止部と上昇した前記底板とで前記画像形成装置本体の媒体入口を塞ぐことを特徴とする。
【０００９】
請求項２に係るものは、請求項１の画像形成装置において、前記給紙防止部を前記カセットカバーの開閉側の反対側中央部に設けたことを特徴とする。
【００１０】
請求項３に係るものは、請求項１または２の画像形成装置において、前記カセットカバーの前記給紙防止部にコロと、該コロを前記給紙防止部の外方へ押し出し付勢するバネを設けてなることを特徴とする。
【００１１】
請求項４に係るものは、請求項１または２の画像形成装置において、前記給紙防止部の形状が略Ｌ字形状としてなることを特徴とする。
【００１２】
請求項５に係るものは、請求項１ないし３のいずれかの画像形成装置において、前記給紙防止部に回転可能なヒンジ部を設け、前記カセットを引き出さずに前記カセットカバーを開いた時は、前記給紙防止部が前記ヒンジ部で自重により回転し、前記媒体入口を塞ぐことを特徴とする。
【００１３】
請求項６に係るものは、請求項５の画像形成装置において、前記給紙防止部のヒンジ部に可動範囲を規制するねじりバネを設けてなることを特徴とする。
【００１４】
請求項７に係るものは、請求項５の画像形成装置において、前記給紙防止部のヒンジ部に可動範囲を規制する引張バネを設けてなることを特徴とする。
【００１５】
請求項８に係るものは、請求項５の画像形成装置において、前記給紙防止部のヒンジ部に可動範囲を規制するリンクを設けてなることを特徴とする。
【００１６】
請求項９に係るものは、請求項５の画像形成装置において、前記給紙防止部のヒンジ部に可動範囲を規制するロック部を設けてなることを特徴とする。
【００１７】
請求項１０に係るものは、請求項１の画像形成装置において、前記画像形成装置本体と前記カセットのロック部を前記底板と一体化し、該底板が上昇すると前記画像形成装置本体と前記カセットがロックし、前記底板が下降すると前記画像形成装置本体と前記カセットのロックが外れ、また前記カセットカバーを開く時に該カセットカバーの一部が前記底板を押す構成とし、該カセットカバーを開くと前記底板が下降しながら前記カセットを押し出し、媒体を追加する時は前記カセットが前記画像形成装置本体から引き出されていることを特徴とする。
【００１８】
請求項１１に係るものは、請求項１０の画像形成装置において、前記カセットカバーを開くと前記底板が下降し、前記画像形成装置本体と前記カセットのロックが外れ、圧縮バネによって前記カセットを押し出し、媒体を追加する時は前記カセットが前記画像形成装置本体から引き出されていることを特徴とする。
【００１９】
請求項１２に係るものは、請求項１０の画像形成装置において、前記画像形成装置本体に前記カセットをセットする時は前記底板と接触せず、前記カセットカバーを開くと前記底板が下降して接触する位置に、前記カセットを押し出すプッシュロッドを設け、前記カセットカバーを開くと前記底板が下降し、前記画像形成装置本体と前記カセットのロックが外れ、前記プッシュロッドによって前記カセットを押し出し、媒体を追加する時は前記カセットが前記画像形成装置本体から引き出されていることを特徴とする。
【００２０】
請求項１３に係るものは、請求項１から１２のいずれかの画像形成装置において、前記カセットと前記カセットカバーの先端をオフセットする構成とし、僅かに前記カセットカバーを開いた状態では媒体を追加できないようにしてなることを特徴とする。
【発明の効果】
【００２１】
本発明によれば、カセットを引き出さずにカセットカバーを開いた状態では媒体入口を塞いで媒体を追加できないようにすることができる。
【発明を実施するための最良の形態】
【００２２】
以下本発明を実施するための最良の形態を、図に示す実施例を参照して説明する。
【実施例１】
【００２３】
図１は本発明の実施対象とする画像形成装置の一例の概略図である。図示の画像形成装置は、カセット１、カセットカバー２、給紙コロ１１、底板１２、分離パッド１３を備えている。図中３は排紙部、４は画像形成装置本体である。底板１２はカセット１を画像形成装置にセットすると上昇する構成となっている。なお本来の操作方法では、カセット１を引き出し、カセットカバー２を開いて用紙等の媒体を追加する。
【００２４】
図２は、上述のような画像形成装置で媒体の重送が発生する状態の説明図である。カセット１を引き出さず、カセットカバー２を開いて媒体Ｐを追加しようとすると、給紙コロ１１と分離パッド１３の間に多数枚の媒体Ｐが挟まってしまう可能性がある。この多数枚の媒体Ｐが挟まった状態のままで給紙動作を行うと、多数枚の媒体Ｐが同時に給紙され、重送となり、ジャム、すなわち紙詰まりが発生してしまうことになる。
【００２５】
図３は、カセット１を引出さずにカセットカバー２を開いた場合は媒体Ｐを追加できないようにした本発明の実施例１を示す。この実施例は、カセットカバー２の後端の中央（カセットカバー２の幅方向での中央：図では紙面垂直方向での中央）付近に給紙防止部２ａを設ける。さらに詳細には、給紙防止部２ａがカセットカバー２の回動支点５よりも後端側に設ける。そのため、カセット１を引き出さずカセットカバー２を開くと給紙防止部２ａが図示のように下方へ回動し、底板１２と接し、媒体Ｐの入口を塞ぐ。そして、この状態となることによって、媒体Ｐを追加できない状態となる。また給紙防止部２ａは、カセットカバー２を閉じた状態では、媒体Ｐの給送の妨げにならないように、媒体Ｐと接触しない形態に設けてある。具体的には、図示のようにカセットカバー２の下面を真っ直ぐ延長した形態で設けてある。このように構成すると、カセット１を引き出した場合は、底板１２が下降するので、給紙防止部２ａは媒体Ｐを追加することの妨げにはならない。
【実施例２】
【００２６】
図４は本発明の実施例２を示す。この実施例は、カセット１を引き出さずにカセットカバー２を開いた状態の時は、給紙防止部２ａと底板１２に隙間を全くなくし、媒体Ｐを追加できない点では実施例１とほぼ同じ構想によるものであるが、本実施例では、給紙防止部２ａの先端にバネ６を利用して移動可能なコロ７を設けてある。コロ７はバネ６でカセットカバー２の先端の給紙防止部２ａからさらに先端側へ押し出し付勢して、給紙防止部２ａと底板１２の隙間を全くなくし、媒体Ｐを追加できないようにする。なお、コロ７を設けることにより、カセットカバー２を開いた場合に、カセット１の引き出しが容易になる。
【実施例３】
【００２７】
図５は本発明の実施例３を示す。この実施例は、カセット１を引出さずにカセットカバー２を開いた場合は、より確実に媒体Ｐを追加できないようにするものである。具体的には、カセットカバー２に設ける給紙防止部８を略Ｌ字形状とすることで、強引に媒体Ｐを押し込まれた場合や、剛性の媒体Ｐを押し込まれた場合でも追加できない構成としてある。
【実施例４】
【００２８】
図６は本発明の実施例４を示す。この実施例は、カセット１を引き出さずカセットカバー２を開いた場合に、カセットカバー２を開閉させても、カセット１内の媒体Ｐに傷を付けず、かつ媒体Ｐを追加できないようにするものである。具体的には、給紙防止部９の途中部位にヒンジ部１０を設けることにより、カセットカバー２を開くと給紙防止部９の先端部９ａが自重で下方へ回動して折れ曲がり、給紙防止部９と底板１２の間に隙間をなくし、媒体Ｐを追加できない構成としてある。
【００２９】
図７から図１０は本発明の実施例４の変形例をそれぞれ示す。これらの変形例は、カセット１を引き出さずカセットカバー２を開いた場合に、強引に媒体Ｐを押し込まれた場合や剛性の高い媒体Ｐを押し込まれた場合も媒体Ｐを追加できないようにしているものである。
【００３０】
図７の場合は、給紙防止部９のヒンジ部１０にねじりバネ１４を設け、図８の場合は給紙防止部９の基部と先端部９ａの間に引張バネ１５を張り渡し、図９の場合は引張バネ１５に代えてリンク１６を用い、図１０の場合は、給紙防止部９の基部に先端部９ａの回動を所定の範囲で止めるためのロック部１７を設けることにより、強引に媒体Ｐを押し込まれた場合や剛性の高い媒体Ｐを押し込んでも、給紙防止部９がある範囲までしか回転しないようにして媒体Ｐを追加できない構成としてある。なお、図９の例では、リンク１６を可動とするための長孔１８を給紙防止部９の基部側に設けてある。
【実施例５】
【００３１】
図１１は本発明の実施例５を示す。本実施例は、カセットカバー２を開いた場合に、カセット１が引き出される構成としてある。給紙防止部２０の構成は図４の実施例と同様にコロ７を用いたもので、枝部２０ａを備え、一方、画像形成装置本体４とカセット１のロック部２１を底板１２と一体化し、底板１２が上昇すると画像形成装置本体４とカセット１がロックされ、底板１２が下降すると画像形成装置本体４とカセット１のロックが外れるようにしてある。また、底板１２には凸部２２を設けてある。このため、カセットカバー２を開く時に、カセットカバー２の給紙防止部２０に設けた枝部２０ａが底板１２の凸部２２を押す構成となり、カセットカバー２を開くと底板１２が下降しながらロックが外れ、その後カセット１が押し出され、媒体Ｐを追加する時は必ずカセット１が引き出される。
【実施例６】
【００３２】
図１２は本発明の実施例６を示す。本実施例は、やはり、カセットカバーを２開いた場合に、カセット１が自動に引き出される実施例である。具体的には、画像形成装置本体４とカセット１のロック部２１を底板１２と一体化し、底板１２が上昇すると画像形成装置本体４とカセット１がロックし、底板１２が下降すると画像形成装置本体４とカセット１のロックが外れ、また、画像形成装置本体４に圧縮ばね２３を設け、カセットカバー２を開くと底板１２が下降しながらロックが外れ、その後カセット１が圧縮ばね２３によって押し出され、媒体Ｐを追加する時はカセット１が引き出された状態となる構成としてある。
【００３３】
図１３は本発明の実施例６の変形例を示す。本例は、画像形成装置本体４に圧縮ばね２３に加えてプッシュロッド２４を設け、プッシュロッド２４は、カセット１を画像形成装置本体４にセットする時は底板１２と接触せず、カセットカバー２を開いて底板１２が下降する時は接触する位置に設置してあり、カセットカバー２を開くと底板１２が下降しながらロックが外れ、その後に底板１２がプッシュロッド２４によって押され、カセット１が押し出されて、媒体Ｐを追加する時はカセット１が引き出された状態となるように構成してある。
【実施例７】
【００３４】
図１４は本発明の実施例７を示す。本実施例は、カセットカバー２を僅かに開いた場合は媒体Ｐを追加できないようにした例である。具体的には、カセット１とカセットカバー２の先端をオフセットさせ（図中○で囲んだ部分Ｘ）、僅かにカセットカバー２を開いた状態では媒体Ｐを追加できない構成としてある。
【図面の簡単な説明】
【００３５】
【図１】本発明の実施対象とする画像形成装置の一例の概略斜視図
【図２】図１のような画像形成装置で媒体の重送が発生する状態の説明断面図
【図３】本発明の実施例１を示す断面図
【図４】本発明の実施例２を示す断面図
【図５】本発明の実施例３を示す断面図
【図６】本発明の実施例４を示す断面図
【図７】本発明の実施例４の変形例を示す断面図
【図８】本発明の実施例４の変形例を示す断面図
【図９】本発明の実施例４の変形例を示す断面図
【図１０】本発明の実施例４の変形例を示す断面図
【図１１】本発明の実施例５を示す断面図
【図１２】本発明の実施例６を示す断面図
【図１３】本発明の実施例６の変形例を示す断面図
【図１４】本発明の実施例７を示す断面図
【符号の説明】
【００３６】
１：カセット
２：カセットカバー
２ａ：給紙防止部
３：排紙部
４：画像形成装置本体
５：カセットカバーの回動支点
６：バネ
７：コロ
８：給紙防止部
９：給紙防止部
９ａ：給紙防止部の先端部
１０：ヒンジ部
１１：給紙コロ
１２：底板
１３：分離パッド
１４：ねじりバネ
１５：引張バネ
１６：リンク
１７：ロック部
１８：長孔
２０：給紙防止部
２０ａ：枝部
２１：ロック部
２２：凸部
２３：圧縮ばね
２４：プッシュロッド
Ｐ：媒体
Ｘ：カセットとカセットカバーの先端をオフセットさせた部分
【図１】
2010024035.tif 000003
【図２】
2010024035.tif 000004
【図３】
2010024035.tif 000005
【図４】
2010024035.tif 000006
【図５】
2010024035.tif 000007
【図６】
2010024035.tif 000008
【図７】
2010024035.tif 000009
【図８】
2010024035.tif 000010
【図９】
2010024035.tif 000011
【図１０】
2010024035.tif 000012
【図１１】
2010024035.tif 000013
【図１２】
2010024035.tif 000014
【図１３】
2010024035.tif 000015
【図１４】
2010024035.tif 000016